Podtech/llm-jp-corpus-v4-ja_patent huggingface dataset:
(57)【特許請求の範囲】
【請求項１】
膨張収縮自在な阻血用の空気袋を内部に納めた圧迫体であって、筒状をなす該圧迫体の側縁から被装着者の衣服と肌との間に潜り込むことになる舌片状の誘い込み片を突出させていることを特徴とする圧迫体。
【請求項２】
上記誘い込み片は、上腕への圧迫体の装着時に圧迫体における手首側を上にした状態の上腕の上面側に来るところに配置していることを特徴とする請求項１記載の圧迫体。
【請求項３】
上記誘い込み片は、摘んで圧迫体を腕に沿って移動させるための摘み部を基端側の表面に備えていることを特徴とする請求項１または２記載の圧迫体。
【発明の詳細な説明】
【技術分野】
【０００１】
本発明は、血圧測定などのために人体の腕に巻き付けられて阻血を行う圧迫体に関するものである。
【背景技術】
【０００２】
血圧測定に用いられる圧迫体は、人体の腕に巻き付け装着した後、内蔵する帯状の空気袋を膨張させることで動脈を圧迫して阻血を行うが、上記巻き付け装着を容易とするとともに上記阻血動作を確実に行うことができるようにするために、図３に示すように空気袋２の外周側に弾性を有している湾曲した保持板３を配したものがある。図中４は空気袋２及び保持板３を内蔵する外布であり、巻き付け状態の保持のために面状ファスナー（図示せず）を備えている。
【０００３】
この場合、圧迫体１は保持板３の存在により、全体として筒状をなしていることから、腕への装着は開口部を広げて腕に被せるというよりも、筒状となっている圧迫体１の中に腕を通すことで行うことになるが、この装着時に、腕と圧迫体１との間に被装着者の衣服が入り込み、これが原因で血圧測定を正確に行うことができないことが多々生じる。
【特許文献１】実開平５−３９５０５号公報
【発明の開示】
【発明が解決しようとする課題】
【０００４】
本発明は上記の従来の問題点に鑑みて発明したものであって、人体への装着性が良好であるとともに衣服の噛み込みによる問題を招くことがない圧迫体を提供することを課題とするものである。
【課題を解決するための手段】
【０００５】
上記課題を解決するために本発明は、膨張収縮自在な阻血用の空気袋を内部に納めた圧迫体であって、筒状をなす該圧迫体の側縁から被装着者の衣服と肌との間に潜り込むことになる舌片状の誘い込み片を突出させていることに特徴を有している。
【０００６】
圧迫体を腕に沿ってずらしていく時、誘い込み片が衣服の下に潜り込むために、衣服が肌と圧迫体との間に入ってしまうことがないものである。
【０００７】
上記誘い込み片は、上腕への圧迫体の装着時に圧迫体における手首側を上にした状態の上腕の上面側に来るところに配置して、位置決め指標を兼ねるものとするのが好ましい。正しい向きで圧迫体を装着することができる。
【０００８】
また上記誘い込み片が、摘んで圧迫体を腕に沿って移動させるための摘み部を基端側の表面に備えていると、圧迫体を腕に沿ってずらしていく操作を容易に行うことができる。
【発明の効果】
【０００９】
本発明によれば、衣服が圧迫体と肌との間に入り込むことがなく、このために空気袋を膨張させて腕を締め付けることで阻血を行う時、締め付け圧力が入り込んだ衣服によって一様とならずに血圧測定精度を悪化させてしまうという事態を招くことがなく、確実に正確な測定を行うことができる。
【発明を実施するための最良の形態】
【００１０】
以下、本発明を添付図面に示す実施形態に基いて説明すると、図示例の圧迫体１は、血圧測定用で人体の上腕部に装着されるものであり、図３に示すように別途エアポンプなどから空気が供給されることで膨張するとともに別途排気弁を通じて排気がなされることで収縮する空気袋２と、この空気袋２の外周側に配されている保持板３と、空気袋２及び保持板３を一端側の内部に納めている帯状の外布４と、外布４の折り返しのためのリング５とからなるもので、断面円弧状に湾曲している上記保持板３は、弾性を有するものとなっている。
【００１１】
上記リング５は、外布４を貫通するビス等の固定具（図示せず）によって上記保持板３の外周側に固定された取付ベース６によって支持されたもので、金属製の棒材を屈曲させたもので形成されている。
【００１２】
ここにおいて、上記取付ベース６は、圧迫体１の幅方向両端部に夫々配したものであるとともに、圧迫体１の側縁から突出する舌片状の誘い込み片７を備えている。
【００１３】
上記圧迫体１を上腕に装着するにあたり、保持板３の弾性によってほぼ筒状を保っている圧迫体１内に腕を差し込むとともに腕に沿って上腕部に至るまで圧迫体１を移動させ、リング５に通した外布４の他端側を引っ張って弛みを無くした状態で、外布４に設けた面状ファスナーを利用して固定するのであるが、圧迫体１を上腕部まで移動させる際、上記誘い込み片７は衣服（袖）９０の下に潜り込むことで、衣服が圧迫体１と腕９との間に入り込んでしまうことを防ぐ。
【００１４】
なお、上記誘い込み片７は手首側を上にした上腕の上面側に来るところに配置しているために、この位置に誘い込み片７を位置させれば図３に示す動脈Ｄを的確に圧迫して血圧測定を正しく行うことができる状態での装着を行うことができるものであり、このために誘い込み片７は位置決め指標を兼ねたものとなっている。
【００１５】
また、誘い込み片７の基端側には、上方に突出した摘み部７０を設けてある。この摘み部７０は、圧迫体１を腕に沿って上腕部にまで移動させる際に摘むことで、圧迫体１を容易に引き上げることができる。
【００１６】
なお、この種の圧迫体１は、右腕に装着する際と左腕に装着する際とで向きを変更して装着することから、ここでも誘い込み片７を圧迫体１の両側縁に設けることで、いずれの場合も衣服（袖）９０が圧迫体１の下に入り込んでしまうことを防ぐことができるようにしている。
【００１７】
図示例では外布４の折り返し用のリング５を支持する取付ベース６に一体に誘い込み片７を設けたものを示したが、独立した存在として設けてもよいのはもちろんであり、また保持板２から一体に突出させたものとして形成してもよい。
【図面の簡単な説明】
【００１８】
【図１】本発明の実施の形態の一例の部分縦断面図である。
【図２】同上の斜視図である。
【図３】同上の概略横断面図である。
【符号の説明】
【００１９】
１  圧迫体
２  空気袋
７  誘い込み片
【図１】
0004944721.tif 000002
【図２】
0004944721.tif 000003
【図３】
0004944721.tif 000004
(57)【特許請求の範囲】
【請求項１】
押し込み操作でモータを駆動させるトリガーと、ライトとを備えると共に、任意の構成部材の一部または全部に自発光機能を付与して、前記ライトからの光を蓄えることで前記構成部材が自発光可能とした電動工具であって、
自発光機能を付与する前記構成部材を、前記ライトの照射側でハウジングの前端へ着脱可能に装着されたバンパとする一方、
前記ライトを、前記トリガーの押し込み操作による前記モータの駆動と同時に点灯させて前記バンパに蓄光させることを特徴とする電動工具。
【請求項２】
前記バンパをリング体としたことを特徴とする請求項１に記載の電動工具。
【発明の詳細な説明】
【技術分野】
【０００１】
本発明は、構成部材を自発光可能とした電動工具に関する。
【背景技術】
【０００２】
電動工具は、照明状態が良くない場所や暗い場所等でも早期に視認可能として使い勝手を良くするために、構成部材を自発光可能としたものが知られている（特許文献１）。これは、ハウジングに貼着される製造者マークに蓄光顔料等の蓄光材を塗布したり、ハウジングやハンドル、先端工具取付部等の樹脂製品に、蓄光材を混合して成形したりすることで、周囲の光を蓄えて当該部品の一部または全部を自発光可能としたものである。
【先行技術文献】
【特許文献】
【０００３】
【特許文献１】特開２００１−１３８２６９号公報
【発明の概要】
【発明が解決しようとする課題】
【０００４】
しかし、これらの蓄光材は、時間の経過と共に自発光量が減少するため、暗い場所で長く放置されると結局視認できなくなるという問題があった。
【０００５】
そこで、本発明は、長時間暗い場所で使用しても、構成部材の自発光によって確実に視認することができる電動工具を提供することを目的としたものである。
【課題を解決するための手段】
【０００６】
上記目的を達成するために、請求項１に記載の発明は、押し込み操作でモータを駆動させるトリガーと、ライトとを備えると共に、任意の構成部材の一部または全部に自発光機能を付与して、ライトからの光を蓄えることで構成部材が自発光可能とした電動工具であって、自発光機能を付与する構成部材を、ライトの照射側でハウジングの前端へ着脱可能に装着されたバンパとする一方、ライトを、トリガーの押し込み操作によるモータの駆動と同時に点灯させてバンパに蓄光させることを特徴とするものである。
請求項２に記載の発明は、請求項１の構成において、バンパをリング体としたことを特徴とするものである。
【発明の効果】
【０００７】
請求項１に記載の発明によれば、ライトの点灯中は自発光機能を付与したバンパに蓄光される。よって、暗い場所での長時間の作業であっても、作業の中断や終了によるライトの消灯の度に常に当該バンパが自発光することとなり、作業中断時に電動工具を床等に置いたりしても確実に視認することができ、使い勝手が良くなる。
また、ライトの照射側に位置するバンパに自発光機能を付与したことで、ライトからの光の蓄光を効率良く確実に行うことができる。
【図面の簡単な説明】
【０００８】
【図１】充電式インパクトドライバの全体図である。
【発明を実施するための形態】
【０００９】
以下、本発明の実施の形態を図面に基づいて説明する。
図１は、電動工具の一例である充電式インパクトドライバの全体図で、充電式インパクトドライバ（以下「インパクトドライバ」という）１は、後方（図１の右側）にモータを内蔵したモータハウジング３と、モータハウジング３の下方に延設され、スイッチを内蔵したハンドル４とを合成樹脂で一体成形した左右二つ割りの本体ハウジング２を有し、モータハウジング３の前方には、減速機構等を内蔵して前端にスピンドル５を突設させた金属製のギヤハウジング６が連結されている。一方、ハンドル４の下端に形成した装着部７には、電源となる蓄電池を収容したバッテリーパック８が着脱可能に装着されている。９は押込み操作でハンドル４内のスイッチをＯＮさせるトリガー、１０はハンドル４の下方に設けられた吊り下げ用のフックである。
【００１０】
また、本体ハウジング２において、ギヤハウジング６の下方部分には、ライトユニット１１が連結されている。このライトユニット１１は、モータの駆動回路に電気的に接続したＬＥＤ等のライト１２を、前方を向いた姿勢で収納したケースで、トリガー９を押し込んでモータを駆動させると同時にライト１２が点灯して、スピンドル５の先端に装着されたビットの前方を照射するようになっている。
そして、ギヤハウジング６の前方には、自発光機能を付与した構成部材としてのバンパ１３が装着されている。このバンパ１３は、ギヤハウジング６の前端に凹設されたリング溝１４に着脱可能に嵌合されるゴム製のリング体で、蓄光顔料を混入して成形しており、周囲の光を蓄光して全体が自発光可能となっている。
【００１１】
以上の如く構成されたインパクトドライバ１においては、暗い場所でネジ締め等の作業を行うと、モータの駆動と同時にライト１２が点灯して作業箇所を照射し、ライト１２の点灯中はバンパ１３に蓄光される。よって、暗い場所での長時間の作業であっても、作業の中断や終了によるライト１２の消灯の度に常にバンパ１３が自発光することとなり、作業中断時にインパクトドライバ１を床等に置いたりしても確実に視認することができ、使い勝手が良くなる。
また、ライト１２の照射側に位置するバンパ１３に自発光機能を付与したことで、ライト１２からの光の蓄光が効率良く確実に行われるようになっている。
【００１３】
また、電動工具の種類もインパクトドライバに限らず、電動ドリルやドライバドリル、インパクトレンチ等の他の電動工具にも適用できるし、充電式電動工具に限らず、交流式のものも当然採用可能である。
【符号の説明】
【００１４】
１・・充電式インパクトドライバ、２・・本体ハウジング、３・・モータハウジング、４・・ハンドル、６・・ギヤハウジング、８・・バッテリーパック、９・・トリガー、１１・・ライトユニット、１２・・ライト、１３・・バンパ。
【図１】
0004944180.tif 000002
(57)【特許請求の範囲】
【請求項１】
ボディに対する第１の位置と第２の位置とに摺動可能なカバーと、
該カバー上に、該カバーと一体的に移動可能に設けられたレリーズボタンとを有するカメラにおいて、
前記ボディ内に前記レリーズボタンに応動可能なレリーズスイッチと、該レリーズスイッチとは異なる機能を有する被操作手段を設け、
前記カバーが表示装置を更に具備し、
前記カバーが第１の位置に位置するときには前記レリーズスイッチが前記レリーズボタンに応動可能であり、前記第２の位置に位置するときには前記被操作手段が前記レリーズボタンに応動可能とし、
前記カバーの位置に応じて前記レリーズボタンで操作可能な機能を変更することを特徴とするカメラ。
【請求項２】
前記カバーの移動位置を検出するカバー位置検出装置を更に具備し、
該カバー位置検出装置の検出結果に応じて、前記表示装置が表示内容を切り替えることを特徴とする請求項１に記載のカメラ。
【請求項３】
前記カバーの移動位置を検出するカバー位置検出装置を更に具備し、
該カバー位置検出装置の検出結果に応じて、前記被操作手段の操作モードを切り替えることを特徴とする請求項１に記載のカメラ。
【発明の詳細な説明】
【０００１】
【発明の属する技術分野】
本発明は、撮影レンズを覆うカバー上に操作部材を備えたカメラに関するものである。
【０００２】
【従来の技術】
撮影以外の複合機能を持つカメラの場合、各機能を実現するための操作部材を設けなければならない。
【０００３】
なお、特開平１１‐２３１３７６号公報で開示された技術は、カバーが開いた状態でレリーズ機能を実現するのみであり、複合機能を実現する場合に、単一の操作部材を兼用する思想は存在しなかった。
【０００４】
【発明が解決しようとする課題】
しかしながら、従来の技術では撮影以外の複合機能を持つカメラの場合、各機能を実現するために、別に新たな操作部材を設けなければならず、カメラが大型となってしまう不都合があった。
【０００５】
本発明は、上記の問題点に鑑みてなされたもので、カメラを大型化することなく複数機能を単一の操作部材で実現することを目的とする。
【０００６】
【課題を解決するための手段】
この目的を達成するために、請求項１の発明は、ボディに対する第１の位置と第２の位置とに摺動可能なカバーと、カバー上に、カバーと一体的に移動可能に設けられたレリーズボタンとを有するカメラにおいて、ボディ内にレリーズボタンに応動可能なレリーズスイッチと、レリーズスイッチとは異なる機能を有する被操作手段を設け、カバーが表示装置を更に具備し、カバーが第１の位置に位置するときにはレリーズスイッチがレリーズボタンに応動可能であり、第２の位置に位置するときには被操作手段がレリーズボタンに応動可能とし、カバーの位置に応じてレリーズボタンで操作可能な機能を変更することを特徴とする。
【０００７】
請求項２の発明は、請求項１において、カバーの移動位置を検出するカバー位置検出装置を更に具備し、カバー位置検出装置の検出結果に応じて、表示装置が表示内容を切り替えることを特徴とする。
【０００８】
請求項３の発明は、請求項１において、カバーの移動位置を検出するカバー位置検出装置を更に具備し、カバー位置検出装置の検出結果に応じて、前記被操作手段の操作モードを切り替えることを特徴とする。
【００１０】
【発明の実施の形態】
以下、本発明の実施の形態を図面に基づいて説明する。
【００１１】
図１〜図４は、本発明によるカメラの第１実施形態を示す正面図および斜視図である。
【００１２】
図１および図２において、カメラボディ１の前面（被写体側）にはスライドカバー２が設けられている。スライドカバー２は、図１に示す撮影レンズ３を覆う状態と、図２に示す撮影可能な状態とに移動可能に構成されている。
【００１３】
カメラボディ１の上面には、操作釦４によって押圧操作されたときにオンとなるスイッチ５および６が設けられている。スイッチ５は、スライドカバー２が図１に示す位置にあるときに、操作釦４によって押圧操作されてオンとなる。スイッチ６は、スライドカバー２が図２に示す位置にあるときに、操作釦４によって押圧操作されてオンとなる。即ち、スイッチ６はレリーズスイッチであってよい。
【００１４】
スライドカバー２の前面には、液晶表示部７が設けられている。液晶表示部７には、図２に示す撮影状態のときには、撮影フィルムの撮影済コマ数と撮影可能コマ数とが表示される。図１に示す非撮影時には、液晶表示部７には、図３に示すように時計とアラームのＯＮ／ＯＦＦ状態を表示したり、図４に示すように録音レベルを表示するようにできる。
【００１５】
図５および図６は、本発明によるカメラの第２実施形態を示す斜視図である。
【００１６】
第２実施形態では、撮影レンズ３を覆う回転式カバー２ａが設けられている。回転式カバー２ａは、図５に示す撮影可能な状態と、図６に示す撮影レンズ３を覆う状態とに回動可能に構成されている。その他の点では、上述した第１実施形態と同様であり、図１〜図４と同じ構成部分には同じ参照番号を付して重複した説明を省略する。
【００１７】
【発明の効果】
以上のように、本発明のカメラによれば、カバーの位置に応じてレリーズボタンで操作可能な機能を変更するようにしたので、カメラを大型化することなく複数機能を単一の操作部材で実現することが可能となる。
【図面の簡単な説明】
【図１】本発明によるカメラの第１実施形態を示す正面図である。
【図２】本発明によるカメラの第１実施形態を示す斜視図である。
【図３】本発明によるカメラの第１実施形態を示す斜視図である。
【図４】本発明によるカメラの第１実施形態を示す斜視図である。
【図５】本発明によるカメラの第２実施形態を示す斜視図である。
【図６】本発明によるカメラの第２実施形態を示す斜視図である。
【符号の説明】
１    カメラボディ
２    スライドカバー
２ａ  回転式カバー
３    撮影レンズ
４    操作釦
５    スイッチ
６    スイッチ
７    液晶表示部
【図１】
0004972841.tif 000002
【図２】
0004972841.tif 000003
【図３】
0004972841.tif 000004
【図４】
0004972841.tif 000005
【図５】
0004972841.tif 000006
【図６】
0004972841.tif 000007
(57)【特許請求の範囲】
【請求項１】
表層や内層に所定の配線パターンが形成され、表層に複数の電子部品を備える多層配線板であって、
所定の電子部品の接地側端子と表層側接地パターンとを接続するための接地電極部と、
前記接地電極部の近傍に前記表層側接地パターンの一部を切り欠いたスリット部と、
前記表層側接地パターンと内層に設けられる内層側接地パターンとを接続する接続部と、
を備え、
前記接続部は、前記接地電極部と前記スリット部との間に備えてなることを特徴とする多層配線板。
【請求項２】
前記スリット部は、前記接地電極部を不連続に囲むように設けられてなることを特徴とする請求項１に記載の多層配線板。
【発明の詳細な説明】
【技術分野】
【０００１】
本発明は、表層や内層に所定の配線パターンが形成され、表層に複数の電子部品を備える多層配線板に関する。
【背景技術】
【０００２】
一般的に、各種電気製品に用いられる配線基板は、回路の高密度化に伴って配線パターンを多層化させて、これらの間に絶縁層を介在させた構造の多層配線板がある（例えば、特許文献１に記載）。
【０００３】
また、多層配線板は、電子部品のノイズ対策として、電子部品と半田付けされる電極部と内層の接地パターンとをスルーホールを介して接続させるようにしたものがある（例えば、特許文献２に記載）。
【特許文献１】特開平６−２３２５５４号公報
【特許文献２】特開平５−３４３６０３号公報
【発明の開示】
【発明が解決しようとする課題】
【０００４】
しかしながら、これらの多層配線板にあっては、ノイズ対策として接地パターンが広域に形成される。この接地パターンと熱容量の大きな電子部品とを半田接続によって実装する際には、前記接地パターンの熱容量も大きいため、半田を溶解させるための大きな熱量が必要となり、半田接続する工程に時間を要してしまうといった問題があった。
【０００５】
そこで本発明の目的とするところは、上述した問題に着目してなされたものであって、短時間にて半田接続可能な多層配線板を提供することにある。
【課題を解決するための手段】
【０００６】
本発明の多層配線板は、請求項１に記載したように、表層や内層に所定の配線パターンが形成され、表層に複数の電子部品を備える多層配線板であって、所定の電子部品の接地側端子と表層側接地パターンとを接続するための接地電極部と、前記接地電極部の近傍に前記表層側接地パターンの一部を切り欠いたスリット部と、前記表層側接地パターンと内層に設けられる内層側接地パターンとを接続する接続部と、を備え、前記接続部は、前記接地電極部と前記スリット部との間に備えてなることを特徴とする多層配線板。
【０００７】
また、請求項２に記載したように、請求項１に記載の多層配線板において、前記スリット部は、前記接地電極部を不連続に囲むように設けられてなることを特徴とする請求項１に記載の多層配線板。
【発明の効果】
【０００８】
本発明は、表層や内層に所定の配線パターンが形成され、表層に複数の電子部品を備える多層配線板に関し、短時間にて半田接続可能な多層配線板となる。
【発明を実施するための最良の形態】
【０００９】
以下、本発明が適用された実施の形態について添付図面を用いて説明する。
【００１０】
本発明の多層配線板は、比較的に熱容量の大きな電子部品（所定の電子部品）の実装箇所において、図１，２に示すように、ランド１と、スリット部２と、スルーホール（接続部）３と、を備えている。また、多層配線板は、表層（表面側層）や内層に銅箔からなる所定の配線パターンが形成され、表層に電解コンデンサ４や抵抗体など図示しない多種の電子部品を実装してなる。
【００１１】
ランド１は、電解コンデンサ（所定の電子部品）４の端子４１を半田接続により実装するために多層配線板の表層に設けられる。ランド１は、電解コンデンサ４の電源側端子４１と電源側の配線パターン５とを接続する電極部１１と、電解コンデンサ４の接地側端子４２と接地側の配線パターン（以下、接地パターンと記す）６と接続する接地電極部１２と、を設けている。
【００１２】
スリット部２は、接地電極部の近傍に多層配線板の表面側に設けられる表層側接地パターン６１の一部を切り欠いて設けられる。スリット部２は、この場合、接地電極部１２を不連続に囲むようにして「Ｌ」字状の非銅箔形成領域が２つ設けてなる。
【００１３】
スルーホール３は、接地電極部１２とスリット部との間における表層側接地パターンにおいて、この表層側接地パターン６１と、多層配線板の内層に設けられる内層側接地パターン６２と、を電気的に接続するように設けられる。なお、スルーホール３は、円形または四角など適宜な形状及び寸法は０．３〜１ｍｍ等様々なものが適用できる。
【００１４】
斯かる多層配線板は、表層や内層に所定の配線パターンが形成され、表層に複数の電子部品を備える多層配線板であって、電解コンデンサ４の接地側端子４２と表層側接地パターン６１とを接続するための接地電極部１２と、接地電極部１２の近傍に表層側接地パターン６１の一部を切り欠いたスリット部２と、接地電極部１２とスリット部２との間において表層側接地パターン６１と内層に設けられる内層側接地パターン６２とを接続するスルーホール３と、を備えてなる。
【００１５】
また、スリット部２は、接地電極部１２を不連続に囲むように設けられてなる。
【００１６】
したがって、熱容量の大きな電子部品を半田接続によって実装する場合であっても、スリット部２により接地パターンの熱伝導がある程度妨げられ、半田を溶解させるための熱量を低減することができるため、半田接続する工程において、より短時間にて半田接続可能な多層配線板となる。また、接地電極部１２とスリット部２との間においてスルーホール３を設けたことによって、電解コンデンサ４からノイズが発せられてしまう場合であっても、効率よく内層側接地パターン６２へ伝搬させることができ、表層側に実装される他の電子部品への影響を防止できる。
【００１７】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、上述した実施の形態においては、多層配線板を貫通するスルーホール３によって、表層側接地パターン６１と内層側接地パターン６２を電気的に接続するものを示したが、ビルドアップビアなどのビアによって接続部を構成するものであってもよい。
【図面の簡単な説明】
【００１８】
【図１】本発明の実施の形態の構成を示す平面図。
【図２】同上実施の形態の要部を示す断面図。
【符号の説明】
【００１９】
１    ランド
１２  接地電極部
２    スリット部
３    スルーホール（接続部）
４    電解コンデンサ（所定の電子部品）
４２  接地側端子
６１  表層側接地パターン
６２  内層側接地パターン
【図１】
0004882132.tif 000002
【図２】
0004882132.tif 000003